【事件の表示】
　特願２０１８−１７０９４８「情報表示プログラム、情報表示装置、情報表示方法および配信装置」拒絶査定不服審判事件〔令和　２年　３月１９日出願公開、特開２０２０−　４２６７２、請求項の数（１９）〕について、次のとおり審決する。
【結　論】
　原査定を取り消す。
　本願の発明は、特許すべきものとする。
【理　由】
結　論
原査定を取り消す。
本願の発明は、特許すべきものとする。
理　由
第１　手続の経緯
　本願は、平成３０年９月１２日の出願であって、その手続の経緯は以下のとおりである。
　平成３１年　１月２５日付け：拒絶理由通知書
　平成３１年　３月１９日　　：意見書、手続補正書の提出
　令和　元年　５月２８日付け：拒絶査定
　令和　元年　９月　４日　　：拒絶査定不服審判の請求、手続補正書の提
　　　　　　　　　　　　　　　出
　令和　２年１０月１３日付け：拒絶理由（当審拒絶理由）通知書
　令和　２年１２月２１日　　：意見書、手続補正書の提出
第２　原査定の概要
　原査定（令和元年５月２８日付け拒絶査定）の概要は次のとおりである。
　この出願の請求項１〜２１に係る発明は、以下の引用文献Ａ〜Ｇに記載された発明に基づいて、その発明の属する技術の分野における通常の知識を有する者（以下、「当業者」という。）が容易に発明をすることができたものであるから、特許法第２９条第２項の規定により特許を受けることができない。
　引用文献等一覧
　Ａ　米国特許出願公開第２０１６／００３５１１９号明細書
　Ｂ　特開２００１−１１８００６号公報
　Ｃ　米国特許出願公開第２０１２／０２２２０６４号明細書
　Ｄ　特開２００３−２２０４２号公報
　Ｅ　特開２００９−２８７９７３号公報
　Ｆ　特開２０１６−１４５８６４号公報
　Ｇ　特開２０１７−２１４３６号公報
第３　当審拒絶理由の概要
　この出願の請求項１〜２１に係る発明は、以下の引用文献１〜９に記載された発明に基づいて、当業者が容易に発明をすることができたものであるから、特許法第２９条第２項の規定により特許を受けることができない。
　引用文献等一覧
　１　米国特許出願公開第２０１６／００３５１１９号明細書（拒絶査定時の引用文献Ａ）
　２　特開２０１７−２１４３６号公報（拒絶査定時の引用文献Ｇ）
　３　国際公開第２０１７／２０１３２６号
　４　特許第６２６３１６１号公報
　５　特開２００１−１１８００６号公報（拒絶査定時の引用文献Ｂ）
　６　米国特許出願公開第２０１２／０２２２０６４号明細書（拒絶査定時の引用文献Ｃ）
　７　特開２００３−２２０４２号公報（拒絶査定時の引用文献Ｄ）
　８　特開２００９−２８７９７３号公報（拒絶査定時の引用文献Ｅ）
　９　特開２０１６−１４５８６４号公報（拒絶査定時の引用文献Ｆ）
第４　本願発明
　本願請求項１〜１９に係る発明（以下、それぞれ「本願発明１」〜「本願発明１９」という。）は、令和２年１２月２１日に提出された手続補正書により補正された特許請求の範囲の請求項１〜１９に記載された事項により特定される、以下のとおりの発明である（下線は補正箇所を示す。）。
　「【請求項１】
　コンピュータに
　ウェブコンテンツである第１コンテンツが有する所定の表示領域内に、広告に関するコンテンツである第２コンテンツを配置して、各コンテンツを所定の画面上に表示する表示手順と、
　利用者の操作により前記第２コンテンツが所定の位置まで移動した場合は、
前記第２コンテンツを前記第１コンテンツよりも画面の奥方向へと仮想的に移動させる態様で前記第２コンテンツの表示サイズを所定の表示サイズまで縮小させ、その後、前記第２コンテンツを前記第１コンテンツよりも画面の手前方向へと仮想的に移動させる態様で
前記表示領域よりも大きい表示サイズまで
し、
　を実行させるための情報表示プログラム。
　　【請求項２】
　前記表示手順は、前記第１コンテンツに対するスクロール操作に従って、前記第１コンテンツと前記第２コンテンツとをスクロールさせ、
　前記表示制御手順は、前記スクロール操作の結果前記第２コンテンツが所定の位置まで移動した場合は、当該第２コンテンツの表示サイズを
変更
　ことを特徴とする請求項１に記載の情報表示プログラム。
　　【請求項３】
　前記表示手順は、表示サイズが前記表示領域以下となる第２コンテンツを前記表示領域内に配置し、
　前記表示制御手順は、前記第２コンテンツの表示サイズを
変更
　ことを特徴とする請求項１または２に記載の情報表示プログラム。
　　【請求項４】
　前記表示制御手順は、前記第１コンテンツよりも前面に重ねて配置された前記第２コンテンツの表示サイズを
変更
　ことを特徴とする請求項１〜３のうちいずれか１つに記載の情報表示プログラム。
　　【請求項５】
　前記表示制御手順は、背面に配置されたコンテンツを透過させる表示領域を有する前記第１コンテンツよりも背面に重ねて配置された前記第２コンテンツの表示サイズを変更する
　ことを特徴とする請求項１〜３のうちいずれか１つに記載の情報表示プログラム。
　　【請求項６】
　前記表示制御手順は、表示サイズを拡大した前記第２コンテンツのうち、前記表示領域と重なる範囲を表示させる
　ことを特徴とする請求項５に記載の情報表示プログラム。
　　【請求項７】
　前記表示制御手順は、前記第２コンテンツに影を付加した状態で、当該第２コンテンツの表示サイズを変更する
　ことを特徴とする請求項
１〜６のうちいずれか１つ
　　【請求項８】
　前記表示制御手順は、前記第２コンテンツの背面側を見せる態様で、前記第２コンテンツの表示サイズを縮小させる
　ことを特徴とする請求項
１〜７
　　【請求項９】
　前記表示制御手順は、前記第２コンテンツを回転させながら、当該第２コンテンツの表示サイズを拡大させる
　ことを特徴とする請求項１〜
８
　　【請求項１０】
　前記表示制御手順は、前記第２コンテンツを移動させながら、当該第２コンテンツの表示サイズを拡大させる
　ことを特徴とする請求項１〜
９
　　【請求項１１】
　前記表示制御手順は、表示サイズを拡大させた前記第２コンテンツを選択可能な状態で表示させる
　ことを特徴とする請求項１〜
１０
　　【請求項１２】
　前記表示制御手順は、表示サイズを拡大させた前記第２コンテンツのうち、前記表示領域と重なる領域を選択可能な状態で表示させ、他の領域を選択不可能な状態で表示させる
　ことを特徴とする請求項
１１
　　【請求項１３】
　前記表示制御手順は、表示サイズを拡大させた前記第２コンテンツのうち、前記表示領域と重ならない領域を透過領域とする
　ことを特徴とする請求項１〜
１２
　　【請求項１４】
　前記表示手順は、前記第２コンテンツを所定の表示サイズで表示し、
　前記表示制御手順は、前記第２コンテンツの表示サイズを拡大させた状態で所定の条件が満たされた場合は、当該第２コンテンツの表示サイズを前記所定の表示サイズに戻す
　ことを特徴とする請求項１〜
１３
　　【請求項１５】
　前記表示制御手順は、前記第１コンテンツが有する表示領域の表示サイズを変更することなく、前記第２コンテンツの表示サイズを徐々に拡大する
　ことを特徴とする請求項１〜
１４
　　【請求項１６】
　前記表示制御手順は、前記第２コンテンツを表示サイズを、前記表示領域よりも大きい所定の表示サイズまで徐々に拡大する
　ことを特徴とする請求項１〜
１５
　　【請求項１７】
　ウェブコンテンツである第１コンテンツが有する所定の表示領域内に、広告に関するンテンツである第１コンテンツが有する所定の表示領域内に、広告に関するコンテンツである第２コンテンツを配置して、各コンテンツを所定の画面上に表示する表示部と、
　利用者の操作により前記第２コンテンツが所定の位置まで移動した場合は、
前記第２コンテンツを前記第１コンテンツよりも画面の奥方向へと仮想的に移動させる態様で前記第２コンテンツの表示サイズを所定の表示サイズまで縮小させ、その後、前記第２コンテンツを前記第１コンテンツよりも画面の手前方向へと仮想的に移動させる態様で
前記表示領域よりも大きい表示サイズまで
し、
　を有することを特徴とする情報表示装置。
　　【請求項１８】
　情報表示装置が実行する情報表示方法であって、
　ウェブコンテンツである第１コンテンツが有する所定の表示領域内に、広告に関するコンテンツである第２コンテンツを配置して、各コンテンツを所定の画面上に表示する表示工程と、
　利用者の操作により前記第２コンテンツが所定の位置まで移動した場合は、
前記第２コンテンツを前記第１コンテンツよりも画面の奥方向へと仮想的に移動させる態様で前記第２コンテンツの表示サイズを所定の表示サイズまで縮小させ、その後、前記第２コンテンツを前記第１コンテンツよりも画面の手前方向へと仮想的に移動させる態様で
前記表示領域よりも大きい表示サイズまで
し、
　を含むことを特徴とする情報表示方法。
　　【請求項１９】
　画面に情報を表示する端末装置に制御情報を配信する配信部を備え、
　前記配信部は、前記端末装置に前記制御情報を配信することで、
　ウェブコンテンツである第１コンテンツが有する所定の表示領域内に、広告に関するコンテンツである第２コンテンツを配置して、各コンテンツを所定の画面上に表示する表示手順と、
　利用者の操作により前記第２コンテンツが所定の位置まで移動した場合は、
前記第２コンテンツを前記第１コンテンツよりも画面の奥方向へと仮想的に移動させる態様で前記第２コンテンツの表示サイズを所定の表示サイズまで縮小させ、その後、前記第２コンテンツを前記第１コンテンツよりも画面の手前方向へと仮想的に移動させる態様で
前記表示領域よりも大きい表示サイズまで
し、
　を実行させるよう前記端末装置を制御する、
　ことを特徴とする配信装置。」
第５　引用文献、引用発明等
　１　引用文献１について
（１）当審拒絶理由で引用された引用文献１には、図面とともに次の事項が記載されている（下線は当審による。以下同様。）。
　ア　「[0036] 
The display control apparatus 100 controls displaying of a screen image 11 on a terminal 10. When a page displayed on the screen image 11 is scrolled, the display control apparatus 100 may control displaying of the page. For example, when new contents are exposed on the screen image 11 as the page is scrolled, the display control apparatus 100 may apply an animation to the newly exposed contents. The display control apparatus 100 includes a scroll recognizing unit 110, an animation generating unit 120, and a display control unit 130.
[0037] 
The scroll recognizing unit 110 recognizes a scrolling operation input from a user.
[0038] The display control unit 130 scrolls a page displayed on the screen image 11 based on a recognized scrolling operation. The display control unit 130 may apply a designated animation to content included in the page being scrolled. For example, 
if content that is newly exposed on a screen image as a page displayed thereon is scrolled, the display control unit 130 may apply an animation to the content, thereby providing a visual effect to the exposure of the content. Therefore, the newly exposed content may draw attention of a user, and a visual effect is provided by scrolling a page, thereby improving user's visual interest.
　（当審訳：　「[0036]　
表示制御装置100は、端末10上のスクリーンイメージ11の表示を制御する。スクリーンイメージ11に表示されるページがスクロールされるとき、表示制御装置100は、そのページの表示を制御し得る。例えば、ページがスクロールされるにつれて新たなコンテンツがスクリーンイメージ11上に出現したとき、表示制御装置100は、新たに出現したコンテンツにアニメーションを適用することができる。表示制御装置100は、スクロール認識部110、アニメーション生成部120、および表示制御部130を備えている。
[0037]　
スクロール認識部110は、ユーザから入力されたスクロール操作を認識する。
[0038]　表示制御部130は、認識されたスクロール操作に基づいてスクリーンイメージ11上に表示されるページをスクロールする。表示制御部130は、スクロールされているページに含まれるコンテンツに指定されたアニメーションを適用してもよい。例えば、
その上で表示されたページとしてスクリーンイメージに新たに出現したコンテンツがスクロールされた場合、表示制御部130は、コンテンツにアニメーションを適用することができ、それにより、コンテンツ出現への視覚的効果を提供する。それゆえ、新しく出現したコンテンツは、ユーザの注意を引き付けることができ、ページをスクロールすることによって視覚効果が提供され、それにより、ユーザの視覚的な興趣が向上する。
　イ　「[0049] 
The animation generating unit 120 may generate an animation for gradually changing the size of content. The animation may include an operation for changing the size of the content to be gradually increased from a size smaller than the original size of the content to the original size of the content.
For example, the animation generating unit 120 may generate an animation for changing the size of content from 80% to 100%.
　（当審訳：　「[0049]　
アニメーション生成部120は、コンテンツのサイズを徐々に変化させるアニメーションを生成してもよい。アニメーションは、コンテンツのオリジナルサイズよりも小さいサイズから、コンテンツのオリジナルサイズまで、徐々に増大するように、コンテンツのサイズを変化させる操作を含んでもよい。
例えば、アニメーション生成部120は、コンテンツのサイズを８０％から１００％まで変化させるためのアニメーションを生成してもよい。
　ウ　「[0100] 
FIG. 7 shows that the page 60 is scrolled upward on the screen image 11 of the terminal 10. An animation is applied to the content 631 included in the content region 63 newly exposed as the page 10 is scrolled, and the content 631, to which the animation is applied, is enlarged and moved on the page.
[0101] 
The animation applied to the content 631 may be executed from the time point at which the content region 63 is exposed on the screen image 11 of the terminal 10. As the animation is executed, the content 631 is exposed on the screen image 11 after the time point at which the content region 63 is exposed on the screen image, and it will look as if the content 631 is scrolled faster than the page 60 and enlarged.
　（当審訳：　「[0100]　
図7は、ページ60が端末10のスクリーンイメージ11上で上方向にスクロールされることを示している。アニメーションは、ページ10がスクロールされるにつれて、新たに出現するコンテンツ領域63に含まれるコンテンツ631に適用され、アニメーションが適用されるコンテンツ631は、ページ上で拡大されて移動される。
[0101]　
コンテンツ631に適用されるアニメーションは、端末10のスクリーンイメージ11上にコンテンツ領域63が出現した時点から実行され得る。アニメーションが実行されるにつれて、コンテンツ631は、コンテンツ領域63がスクリーンイメージ上に出現した時点よりも後で、スクリーンイメージ11に出現し、あたかもコンテンツ631がページ60よりも速くスクロールされて拡大されたように見える。
　エ　「[0148] According to the display control apparatus, the display control method, and a computer readable recording medium having recorded thereon 
a computer program for implementing the display control method according to the one or more of the above exemplary embodiments
　（当審訳：　「[0148]　表示制御装置、表示制御方法、および、
上記の例示的な実施形態の一つ又は複数による表示制御方法を実現するためのコンピュータプログラム
　オ　図７
　「
」
（２）上記（１）から、引用文献１には次の発明（以下、「引用発明」という。）が記載されていると認められる。なお、段落[0100]（上記（１）ウ）の「page 10」は「page 60」の誤記と認められるので、その点を考慮している。
　「表示制御装置100が、端末10上のスクリーンイメージ11の表示を制御し、スクリーンイメージ11に表示されるページがスクロールされるとき、表示制御装置100は、そのページの表示を制御し得るものであり、例えば、ページがスクロールされるにつれて新たなコンテンツがスクリーンイメージ11上に出現したとき、表示制御装置100は、新たに出現したコンテンツにアニメーションを適用することができ（[0036]）、
　表示制御装置100は、スクロール認識部110、アニメーション生成部120、および表示制御部130を備えており（[0036]）、
　スクロール認識部110は、ユーザから入力されたスクロール操作を認識し（[0037]）、
　その上で表示されたページとしてスクリーンイメージに新たに出現したコンテンツがスクロールされた場合、表示制御部130は、コンテンツにアニメーションを適用することができ、それにより、コンテンツ出現への視覚的効果を提供し、それゆえ、新しく出現したコンテンツは、ユーザの注意を引き付けることができ、ページをスクロールすることによって視覚的効果が提供され、それにより、ユーザの視覚的な興趣が向上し（[0038]）、
　アニメーション生成部120は、コンテンツのサイズを徐々に変化させるアニメーションを生成してもよく、アニメーションは、コンテンツのオリジナルサイズよりも小さいサイズから、コンテンツのオリジナルサイズまで、徐々に増大するように、コンテンツのサイズを変化させる操作を含んでもよく、例えば、アニメーション生成部120は、コンテンツのサイズを８０％から１００％まで変化させるためのアニメーションを生成してもよく（[0049]）、
　ページ60が端末10のスクリーンイメージ11上で上方向にスクロールされ（図７）、アニメーションが、ページ60がスクロールされるにつれて、新たに出現するコンテンツ領域63に含まれるコンテンツ631に適用され、アニメーションが適用されるコンテンツ631は、ページ上で拡大されて移動され（[0100]）、
　コンテンツ631に適用されるアニメーションは、端末10のスクリーンイメージ11上にコンテンツ領域63が出現した時点から実行され得るものであり、アニメーションが実行されるにつれて、コンテンツ631は、コンテンツ領域63がスクリーンイメージ上に出現した時点よりも後で、スクリーンイメージ11に出現し、あたかもコンテンツ631がページ60よりも速くスクロールされて拡大されたように見える（[0101]）、
　表示制御方法を実現するためのコンピュータプログラム（[0148]）。」
　２　引用文献３について
　当審拒絶理由で引用された引用文献３には、図面とともに次の事項が記載されている。
（１）「[00356] In some embodiments, the selected impact effect option is applied to all (or substantially all) of the display screen of an electronic device that sends or receives the message, which includes the message region with the sent message, for a full-screen effect, an example of which is shown by the sequence of user interface images in Figures 5AX through 5BF. Figures 5AX through 5BF show the progression of 
the slam effect of a first message input (Hell No! !)
the first message input displayed shown enlarged, rotated and with a dark background (Figure 5AX), then displayed even larger and with a somewhat lighter background (Figure 5 AY)
　（当審訳：　「[00356]　一部の実施形態では、選択されたインパクト効果オプションは、全画面効果のため、送信メッセージを有するメッセージ領域を含む、メッセージを送信又は受信する電子デバイスの表示画面の全て（又は実質的に全て）に適用されるが、その一例を、図５ＡＸ〜図５ＢＦのユーザインタフェース画像のシーケンスによって示す。図５ＡＸ〜図５ＢＦは、
第１のメッセージ入力（「Ｈｅｌｌ　Ｎｏ！！」）の「スラム」効果
第１のメッセージ入力が拡大され、回転され、かつ暗い背景で表示され（図５ＡＸ）、次にいっそう大きくかついくぶん薄い背景で表示され（図５ＡＹ）
（２）図５ＡＸ、図５ＡＹ
　「
」
　３　引用文献４について
　当審拒絶理由で引用された引用文献４には、図面とともに次の事項が記載されている。
（１）「【０２９２】
　その後、
図３２（２）に示すように、仮停止表示されている一般装飾図柄ＤＩ１〜ＤＩ３が、画像表示部６（正確には、画像表示部６の画面）から一部がはみ出す（見切れる）まで拡大表示されることによって、再抽選演出が実行されることを煽る（期待させる）演出が行われる。
（２）「【図３２】
」
第６　対比・判断
　１　本願発明１について
（１）対比
　ア　本願発明１と引用発明とを対比すると、次のことがいえる。
（ア）引用発明の、「ページ60が端末10のスクリーンイメージ11上で上方向にスクロールされ（図７）、アニメーションが、ページ60がスクロールされるにつれて、新たに出現するコンテンツ領域63に含まれるコンテンツ631に適用され、アニメーションが適用されるコンテンツ631は、ページ上で拡大されて移動され」ることに関し、図７（上記第５の１（１）オ）を参照すると、「コンテンツ631」は、同図（中央及び右）から拡大される様子が読み取れる「CONTENT 3」であり、その一方で、「スクリーンイメージ11」上で、「ページ60」が有する「所定の表示領域内」に、「CONTENT 3」と共に「CONTENT 2」が配置されることも同図から読み取れる。
　そして、引用発明の「ページ60」全体のコンテンツ、「コンテンツ631」、「スクリーンイメージ11」は、それぞれ、本願発明１の「第1コンテンツ」、「第２コンテンツ」、「所定の画面」に相当する。
　以上のことから、引用発明と、本願発明１の
　「ウェブコンテンツである第１コンテンツが有する所定の表示領域内に、広告に関するコンテンツである第２コンテンツを配置して、各コンテンツを所定の画面上に表示する」
こととは、
　「第１コンテンツが有する所定の表示領域内に、第２コンテンツを配置して、各コンテンツを所定の画面上に表示する」
ことである点で共通している。
（イ）引用発明では、「アニメーションは、コンテンツのオリジナルサイズよりも小さいサイズから、コンテンツのオリジナルサイズまで、徐々に増大するように、コンテンツのサイズを変化させる操作を含んでもよ」いものであり、また、「コンテンツ631に適用されるアニメーションは、端末10のスクリーンイメージ11上にコンテンツ領域63が出現した時点から実行され得るものであり、アニメーションが実行されるにつれて、コンテンツ631は、コンテンツ領域63がスクリーンイメージ上に出現した時点よりも後で、スクリーンイメージ11に出現し、あたかもコンテンツ631がページ60よりも速くスクロールされて拡大されたように見える」のであるから、「コンテンツ631」は、「サイズ」が「徐々に増大する」「アニメーション」により、「ページ60のスクロールに伴ってコンテンツ領域63が出現した時点」まで「コンテンツ631」が「移動した場合」、すなわち、「コンテンツ631」が「所定の位置まで移動した場合」に、「徐々に拡大」する態様で「表示」されるといえる。
　また、引用発明では、「スクロール認識部110は、ユーザから入力されたスクロール操作を認識」するから、「ページ60のスクロール」は、「ユーザから入力されたスクロール操作」であり、ここで、「ユーザ」は本願発明１の「利用者」に相当する。
　以上のことから、引用発明と、本願発明１の
　「利用者の操作により前記第２コンテンツが所定の位置まで移動した場合は、前記第２コンテンツを前記第１コンテンツよりも画面の奥方向へと仮想的に移動させる態様で前記第２コンテンツの表示サイズを所定の表示サイズまで縮小させ、その後、前記第２コンテンツを前記第１コンテンツよりも画面の手前方向へと仮想的に移動させる態様で当該第２コンテンツの表示サイズを前記表示領域よりも大きい表示サイズまで徐々に拡大し、当該第２コンテンツのうち一部の領域が前記画面外にはみ出る態様で当該第２コンテンツを表示させる」
こととは、
　「利用者の操作により前記第２コンテンツが所定の位置まで移動した場合は、当該第２コンテンツの表示サイズを徐々に拡大する態様で当該第２コンテンツを表示させる」
ことである点で共通している。
（ウ）引用発明の「表示制御方法を実現するためのコンピュータプログラム」は、「コンピュータ」に、上記（ア）の「CONTENT 3」等を含む「ページ60」の「表示手順」や、上記（イ）の「コンテンツ631」に「アニメーション」を「適用」する「表示制御手順」を「実行させる」ものであることが明らかであり、本願発明１の「情報表示プログラム」に相当する。
　イ　したがって、本願発明１と引用発明とは以下の点で一致する。
　（一致点）
　「コンピュータに
　第１コンテンツが有する所定の表示領域内に、第２コンテンツを配置して、各コンテンツを所定の画面上に表示する表示手順と、
　利用者の操作により前記第２コンテンツが所定の位置まで移動した場合は、当該第２コンテンツの表示サイズを徐々に拡大する態様で当該第２コンテンツを表示させる表示制御手順と
　を実行させるための情報表示プログラム。」
　ウ　また、本願発明１と引用発明とは以下の点で相違する。
　（相違点１）
　本願発明１では、「第１コンテンツ」が「ウェブコンテンツである」とともに、「第２コンテンツ」が「広告に関するコンテンツである」のに対し、引用発明では、「ページ60」のコンテンツ、「コンテンツ631」がそれぞれ何のコンテンツであるかの具体的な特定がない点。
　（相違点２）
　本願発明１は、「第２コンテンツの表示サイズを徐々に拡大する」ことを、「前記第２コンテンツを前記第１コンテンツよりも画面の奥方向へと仮想的に移動させる態様で前記第２コンテンツの表示サイズを所定の表示サイズまで縮小させ、その後、前記第２コンテンツを前記第１コンテンツよりも画面の手前方向へと仮想的に移動させる態様で」、「前記表示領域よりも大きい表示サイズまで」行うとともに、拡大後において「当該第２コンテンツを表示させる」ことを、「当該第２コンテンツのうち一部の領域が前記画面外にはみ出る態様で」行うのに対し、引用発明は、「コンテンツ631」を単に「ページ上で拡大」するものである点。
（２）判断
　事案に鑑みて、相違点２について先に検討する。
　画面上で一部のコンテンツを拡大表示することについて、当該コンテンツを他のコンテンツよりも画面の奥方向へと仮想的に移動させる態様で当該コンテンツの表示サイズを所定の表示サイズまで縮小させ、その後、当該コンテンツを他のコンテンツよりも画面の手前方向へと仮想的に移動させる態様で行うことは、引用文献１〜９には記載されておらず、本願出願日前において周知技術であるともいえない。
　上記第５の２、同３によれば、引用文献３、引用文献４にはそれぞれ、コンテンツの一部の領域が画面外にはみ出る態様でコンテンツを拡大表示することが記載されていることが認められるが、上記の画面の奥方向への移動等を伴った態様の拡大表示については記載されていない。
　よって、他の相違点について判断するまでもなく、本願発明１は、当業者であっても引用文献１〜９に記載された発明に基づいて容易に発明をすることができたものであるとはいえない。
　２　本願発明２〜１９について
　本願発明２〜１６は、いずれも本願発明１を減縮した発明である。
　また、本願発明１７〜１９は、いずれも本願発明１に対応する発明特定事項を含んでいる。
　そうすると、本願発明２〜１９も本願発明１と同様の理由により、当業者であっても引用文献１〜９に記載された発明に基づいて容易に発明をすることができたものであるとはいえない。
第７　原査定についての判断
　令和２年１２月２１日付けの補正により、補正後の請求項１〜１９は、「前記第２コンテンツを前記第１コンテンツよりも画面の奥方向へと仮想的に移動させる態様で前記第２コンテンツの表示サイズを所定の表示サイズまで縮小させ、その後、前記第２コンテンツを前記第１コンテンツよりも画面の手前方向へと仮想的に移動させる態様で当該第２コンテンツの表示サイズを前記表示領域よりも大きい表示サイズまで徐々に拡大し」という技術的事項を有するものとなった。当該技術的事項は、原査定における引用文献Ａ〜Ｇには記載されておらず、本願優先日前における周知技術でもないので、本願発明１〜１９は、当業者であっても、原査定における引用文献Ａ〜Ｇに基づいて容易に発明できたものではない。したがって、原査定を維持することはできない。
第８　むすび
　以上のとおり、原査定の理由によって、本願を拒絶することはできない。
　また、他に本願を拒絶すべき理由を発見しない。
　よって、結論のとおり審決する。